(57)【要約】【課題】浮子の浮力調整が簡単にでき、封緘部を脱着する必要がなく、おもりを入れた重量分での明確で分かり易い浮力調整ができ、水の浸入による浮力誤差の生じない釣り用浮子を提供する事を目的とする。【解決手段】浮子本体２から穿設した孔５に設けられた外側筒体６に、外側筒体６の内径と同じ外径を有する内側筒体９を収納する。外側筒体６は、上部の空いた筒体よって形成され、内側筒体９は、上下に貫通する貫通孔と、上下におもり挿通孔と、を有する。浮力を調整するには、内側筒体９を、外側筒体６の上部に空いた外側筒室入り口下縁８と、内側筒体９の上部おもり挿通孔入り口上縁１４との間の隙間１８に指先２１をいれて引き出し、引き出され孔５から露出した上部おもり挿通孔１３から、おもり１９を出し入れすればよい。【選択図】図１
2019000062.tif 000002
【特許請求の範囲】
【請求項１】
釣り用浮子１であって、浮子本体２と、この浮子本体２を上下に貫通し釣り糸を挿通できる糸挿通孔４と、浮子本体２に穿設した孔５と、この孔５に設けられた外側筒体６と、この外側筒体６の内径と同じ外径を有して前記外側筒体６に対し軸方向へスライド往復可能に収納することのできる内側筒体９と、を有し、前記外側筒体６は、前記収納のため上部の空いた筒体よって形成され、前記内側筒体９は、水を通すための上部貫通孔１１と下部貫通孔１２とを有し、前記上部貫通孔１１は、おもり外径より小さく形成され、前記内側筒体９は、上部に側面側から半円形状に貫いた、上部おもり挿通孔１３を有し、よって、前記内側筒体９は、前記外側筒体６の上部に空いた外側筒室入り口下縁８と、前記内側筒体９の上部おもり挿通孔入り口上縁１４との間の隙間１８に指先２１をいれて引き出すことができ、引き出され前記孔５から露出した前記上部おもり挿通孔１３から、おもり１９を出し入れできることを特徴とする釣り用浮子。
【請求項２】
前記内側筒体９は、下部に側面側から半円形状に貫いた、下部おもり挿通孔１５を有し、前記外側筒体６に対して、前記内側筒体９を上下逆さに軸方向へスライド往復可能に収納することができ、よって、前記上下逆さにした状態で前記内側筒体９は、前記外側筒体６の上部に空いた前記外側筒室入り口下縁８と、前記内側筒体９の下部おもり挿通孔入り口下縁１６との間の隙間１８に指先２１をいれて引き出すことができ、引き出され前記孔５から露出した前記下部おもり挿通孔１５から、おもり１９を出し入れすることができ、前記内側筒体９の下部貫通孔１２から、夕刻や夜間の視認性を高めるため、前記内側筒体９の内径と同じ外径を有する化学発光体２０を嵌入して備えられることを特徴とする請求項１に記載の釣り用浮子。
【発明の詳細な説明】
【技術分野】
【０００１】
この発明は、釣り用の浮子の構造に関する。
【背景技術】
【０００２】
釣り、特に磯釣りなどでは、浮子は、環付き浮子と中通し浮子との２種が採用される。図７（Ａ）に示すように、環付き浮子１０１Ａは、浮子の下端に環状金具１０２が回転可能に設けられ、この環状金具１０２の中を釣り糸１０３が通される。浮子下、すなわち浮子１０１Ａの下の釣り糸１０３の長さを調整するときには、環状金具１０２より上の、釣り糸１０３に浮子止め（図示せず）を取り付ける。
【０００３】
図７（Ｂ）に示すように、中通し浮子１０１Ｂは、浮子１０１Ｂを上下に貫通する孔１０４が設けられ、この孔１０４の中を釣り糸１０３が通される。浮子下、すなわち浮子１０１Ｂの下の釣り糸１０３の長さを調整するときには、この孔１０４より上の、釣り糸１０３に浮子止め（図示せず）を取り付ける。
また中通し浮子１０１Ｂは、環付き浮子１０１Ａと比べて、浮子に釣り糸が絡みついてしまう可能性が少ない、ラインコントロールが良い（道糸を張るとウキが見えなくなる事が無い）、アタリ（魚の食いつき）の感度増幅などの特徴があり、特に磯釣りでは、中通し浮子１０１Ｂが使用されることが多い。
【０００４】
また、下記特許文献１には、図７（Ｃ）に示すように、環付き浮子１０１Ｃを、浮力調整可能な浮子として使用できるものが存在する。すなわち図７（Ｃ）が示すように、環付き浮子１０１Ｃの貫通孔部１０６から、封緘部１０７を取り外し、貫通孔部１０６に重錘部１０８を出し入れして浮力調整する。さらに、図７（Ｄ）が示すように、封緘部１０７を嵌着孔部１０９が有する物に交換することで、発光体１１０を装着できる夜釣りに対応した環付き浮子１０１Ｃが開示されている。
【先行技術文献】
【特許文献】
【０００５】
【特許文献１】特開平９−２８２５４
【発明の概要】
【発明が解決しようとする課題】
【０００６】
しかしながら、従来の環付き浮子１０１Ａ、中通し浮子１０１Ｂの浮力を調整するには、浮力の異なる各種の浮子を携行して、その都度釣り糸を切断して取り替えて、再び釣り糸を挿通しなければならず、交換作業に時間を要し面倒である。
【０００７】
また、特許文献１には、図７（Ｃ）に示すように、重錘部１０８を出し入れする際に、封緘部１０７を脱着しなければならず、脱着作業が面倒であり、浮子本体１０５と封緘部１０７を一度分離しないといけないため、封緘部１０７を紛失する恐れがある。
また、特に磯釣りでは潮の流れ、風、波、天候などの自然条件等の変化により、頻繁に迅速な浮力調整が必要だが、封緘部１０７を脱着して浮力調整を行う場合は、分離した封緘部１０７を持つ手や、一時保管する手などにより手が塞がるため、浮力調整に時間を要する。
また、貫通孔部１０６に封緘部１０７を装着した場合は、貫通孔部１０６は密閉した気室となるため、重錘部１０８を入れる前と後では容積の変化があり、貫通孔部１０６に比重誤差が生じるので、重錘部１０８を入れた重量分での、明確で分かり易い浮力調整ができない。
さらに、封緘部１０７で密閉してあっても、浮力調整作業中に浮子本体１０５が水で濡れている、または、雨が降っている場合は、封緘部１０７を取り外した際に貫通孔部１０６へ水が浸入する恐れがあり、これらも浮力誤差を生じさせる要因となるため、浮力調整に神経を要する。
この発明は、以上の問題を解決するために、浮子の浮力調整が簡単にでき、封緘部を脱着する必要がなく、おもりを入れた重量分での明確で分かり易い浮力調整ができ、水の浸入による浮力誤差の生じない釣り用浮子を提供する事を目的とする。
【課題を解決するための手段】
【０００８】
以上の課題を解決するために、第一の発明は、釣り用浮子１であって、浮子本体２と、この浮子本体２を上下に貫通し釣り糸を挿通できる糸挿通孔４と、浮子本体２に穿設した孔５と、この孔５に設けられた外側筒体６と、この外側筒体６の内径と同じ外径を有して前記外側筒体６に対し軸方向へスライド往復可能に収納することのできる内側筒体９と、を有し、前記外側筒体６は、前記収納のため上部の空いた筒体よって形成され、前記内側筒体９は、水を通すための上部貫通孔１１と下部貫通孔１２とを有し、前記上部貫通孔１１は、おもり外径より小さく形成され、前記内側筒体９は、上部に側面側から半円形状に貫いた、上部おもり挿通孔１３を有し、よって、前記内側筒体９は、前記外側筒体６の上部に空いた外側筒室入り口下縁８と、前記内側筒体９の上部おもり挿通孔入り口上縁１４との間の隙間１８に指先２１をいれて引き出すことができ、引き出され前記孔５から露出した前記上部おもり挿通孔１３から、おもり１９を出し入れできることを特徴とする釣り用浮子である。
【０００９】
第二発明は、さらに、前記内側筒体９は、下部に側面側から半円形状に貫いた、下部おもり挿通孔１５を有し、前記外側筒体６に対して、前記内側筒体９を上下逆さに軸方向へスライド往復可能に収納することができ、よって、前記上下逆さにした状態で前記内側筒体９は、前記外側筒体６の上部に空いた前記外側筒室入り口下縁８と、前記内側筒体９の下部おもり挿通孔入り口下縁１６との間の隙間１８に指先２１をいれて引き出すことができ、引き出され前記孔５から露出した前記下部おもり挿通孔１５から、おもり１９を出し入れすることができ、前記内側筒体９の下部貫通孔１２から、夕刻や夜間の視認性を高めるため、前記内側筒体９の内径と同じ外径を有する化学発光体２０を嵌入して備えられることを特徴とする釣り用浮子である。
【発明の効果】
【００１０】
第一発明によれば、浮子の浮力を調整するには、浮子本体より内側筒体を指で引き出し、引き出され孔から露出した上部おもり挿通孔からおもりを出し入れすればよい。よって、封緘をするために従来の封緘部のような部品を脱着する必要がなく、面倒なく浮力調整ができる。
また、浮子本体と内側筒体とを分離する必要がないため、内側筒体を紛失する恐れが少ない。
また、浮子の浮力を調整するには、浮子本体と内側筒体とを分離する必要がないため、従来の封緘部のような部品を持つ手や、一時保管する手などにより手が塞がらないため、浮力調整に時間を要しない。
また、内側筒体の上部貫通孔は空いており、内側筒室は水で満たされるため、おもりを入れる前と後での体積の変化が生ぜず、内側筒室の比重誤差が少ないので、おもりを入れた重量分での明確で分かり易い浮力調整ができる。
さらに、内側筒室は密閉された気室ではなく、水で満たされるため、浮力調整の最中に浮子本体が水で濡れている、または、雨が降っている場合でも、水の浸入による浮力誤差が生ぜず、水の浸入を気にする必要がない。
【００１１】
第二発明によれば、浮子本体から内側筒体を上下逆さにして収納することにより、よって、内側筒体の下部貫通孔から化学発光体を嵌入して備えられるため、夕刻や夜間の視認性向上や夜釣りに対応できる浮子として使用できる。また、この化学発光体は、棒状のもので、例えば、釣り用として市販されている株式会社ルミカ製の発光体（商品名：ケミホタル）を利用できる。
【図面の簡単な説明】
【００１２】
【図１】この発明の一実施形態を示す縦断面図である。
【図２】（Ａ）は図１の浮子本体の縦断面図、（Ｂ）は図１の外側筒体の縦断面図、（Ｃ）は図１の内側筒体の縦断面図である。
【図３】（Ａ）は図２（Ｂ）の９０度角度を変えた斜視図、（Ｂ）は（Ａ）の９０度角度を変えた斜視図、（Ｃ）は図２（Ｃ）の９０度角度を変えた斜視図、（Ｄ）は（Ｃ）の９０度角度を変えた斜視図、（Ｅ）は（Ａ）に（Ｃ）を収納した状態を示す斜視図、（Ｆ）は（Ｅ）の９０度角度を変えた斜視図、（Ｇ）は（Ｅ）の要部拡大図、（Ｈ）は（Ｇ）の９０度角度を変えた要部拡大図である。
【図４】（Ａ）は図１の浮子本体から内側筒体を引き出す状態を示す縦断面図、（Ｂ）は（Ａ）におもりを入れる状態を示す縦断面図である。
【図５】（Ａ）は図４（Ｂ）の内側筒体とおもりを上下逆さに収納した状態を示す縦断面図、（Ｂ）は（Ａ）に視認性を高める化学発光体を取り付けた状態を示す縦断面図である。
【図６】この発明の他の適用例を示すもので（Ａ）は環付き浮子、（Ｂ）はななめ浮子、（Ｃ）は棒浮子、（Ｄ）はルアーに二重筒構造体を設けた状態を示す外観図である。
【図７】従来の浮子を示すもので（Ａ）は環付き浮子の外観図、（Ｂ）は中通し浮子の外観図、（Ｃ）はおもりを用いて浮力調整可能な環付き浮子として使用する縦断面図、（Ｄ）は（Ｃ）の封緘部に視認性を高める発光体を取り付けた状態を示す縦断面図の要部拡大図である。
【発明を実施するための形態】
【００１３】
この発明の一実施形態を、図１から図６に示す。
［全体の概略］
図１、図２に示すように、この浮子１は、主に磯釣りなどに用いる浮子１であって、浮子１は浮力のある木などの材料が用いられる。この浮子本体２を上下に貫通し筒体３が設けられ、糸挿通孔４が貫通し形成される。この糸挿通孔４に釣り糸を挿通する。これにより従来の浮子１として使用できる。
【００１４】
この浮子１の浮子本体２から穿設した孔５に、外側筒体６が挿入されて固定される。外側筒体６の上部に空いた縁は浮子本体２の外形に沿って形成され、外側筒室７の構造を有することになる。そして、この外側筒室７に、外側筒体６の内径と同じ外径を有して外側筒体６に対し軸方向へスライド往復可能に収納することのできる内側筒体９を収納する。これにより内側筒室１０を備えた浮子１として使用できる。
【００１５】
［要部の構造］
図１から図３に示すように、この浮子１の要部は、浮子本体２から穿設した孔５に設けられる外側筒体６と、内側筒体９によって構成された、二重筒構造体１７である。
二重筒構造体１７は、外側筒体６と内側筒体９が同軸に配置される。外側筒体６は、浮子本体２から穿設した孔５に挿入されて固定される。内側筒体９は、外側筒体６の内径と同じ外径を有して外側筒体６に対し軸方向へスライド往復可能に収納することができる。
【００１６】
二重筒構造体１７を構成する内側筒体９の上下には、側面側から半円形状に貫いた上部おもり挿通孔１３と、下部おもり挿通孔１５を有する。
また、外側筒体６に対して内側筒体９は、外側筒室入り口下縁８から突出する十分な長さを有し、この内側筒体９の上部おもり挿通孔入り口上縁１４と外側筒室入り口下縁８との間に、おもり１９外径より小さな隙間１８を有することになる。
また、図５（Ａ）に示すように、外側筒体６に対して、内側筒体９を上下逆さに軸方向へスライド往復可能に収納した場合は、この内側筒体９の下部おもり挿通孔入り口下縁１６と外側筒室入り口下縁８との間に、おもり１９外径より小さな隙間１８を有することになる。
【００１７】
二重筒構造体１７を構成する内側筒体９の上下には、上下に貫通する貫通孔を有し、上部貫通孔１１には、おもり１９外径より小さく形成される。また下部貫通孔１２には、筒形状に貫通しており、外側筒室７と結合した、内側筒室１０を有することになる。
また、図５（Ａ）に示すように、外側筒体６に対して、内側筒体９を上下逆さに軸方向へスライド往復可能に収納した場合は、下部貫通孔１２が上部に空いた内側筒室１０を有することになる。
【００１８】
以上の構造により、おもり１９を収納するための内側筒室１０は、外側筒体６に対して、軸方向へスライド往復可能に収納した内側筒体９によって構成されることとなる。
また、図５（Ｂ）に示すように、化学発光体２０を嵌入するための内側筒室１０は、外側筒体６に対して、上下逆さに軸方向へスライド往復可能に収納した内側筒体９によって構成される。
また、図４（Ａ）に示すように、内側筒体９を指２１で引き出すための隙間１８構造が、外側筒室入り口下縁８と、内側筒体９の上部おもり挿通孔入り口上縁１４と、の間の隙間１８によって構成される。
また、図５（Ａ）に示すように、上下逆さに収納した内側筒体９を指２１で引き出すための隙間１８構造が、外側筒室入り口下縁８と、下部おもり挿通孔入り口下縁１６と、の間の隙間１８によって構成される。
【００１９】
「実施形態の効果」
以上の実施形態によれば、浮子１の浮力を調整するには、図４に示すように、浮子本体２より内側筒体９を指２１で引き出し、引き出され孔５から露出した上部おもり挿通孔１３からおもり１９を出し入れすればよい。よって、封緘をするために従来の封緘部１０７のような部品は無用であり、封緘部１０７を脱着する脱着作業の必要がない。
【００２０】
また、内側筒体９の上部貫通孔１１は貫通しており、内側筒室１０は水で満たされるため、おもり１９を入れる前と後での体積の変化が生ぜず、内側筒室１０の比重誤差が少ないので、おもり１９を入れた重量分での明確で分かり易い浮力調整ができる。また、おもりとしては、ガン玉等の鉛玉を使用することで、ガン玉の種類（重量やサイズ）を変更することにより、より細かな浮力調整ができる。ガン玉とは、釣り用の鉛製の球体おもりであり、各種種類やサイズのものが市販されているため、何処でも簡単に入手することができる。
さらに、内側筒室１０は水で満たされるので、浮子本体２が水で濡れている、または、雨が降っている場合でも、水の浸入を気にする必要がない。
【００２１】
また、中通し浮子１として使用するために、浮子本体２から穿設した孔５に、外側筒体６と内側筒体９によって構成される二重筒構造体１７を設けるので、浮子１の製造が面倒でない。
さらに、この浮子１を構成する主な部材は、外側筒体６と内側筒体９となり、よって簡易な構造が得られる。このため浮子１の製造コストを抑えることができる。
さらに、内側筒体９を引き出すための隙間１８構造は、外側筒体６と内側筒体９に設けられた各々の孔によって構成され、簡易な構造が得られる。このため浮子１の製造コストを抑えることができる。
【００２２】
また、図５に示すように、内側筒体９を上下逆さにして収納することにより、内側筒体９の下部貫通孔１２から化学発光体２０を嵌入して備えることができるため、夕刻や夜間の視認性向上や夜釣りに対応できる浮子１として使用できる。また、この化学発光体２０は、棒状のもので、例えば、釣り用として市販されている株式会社ルミカ製の発光体（商品名：ケミホタル）を利用できる。
【００２３】
また、浮力調整可能な中通し浮子１として使用することができる（図６（Ｂ））ため、環付き浮子１０１Ａに使用した場合（図６（Ａ））に比べて、中通し浮子１０１Ｂの特徴であるでる、浮子１に釣り糸が絡みついてしまう可能性が少ないこと、ラインコントロールが良い（道糸を張るとウキが見えなくなる事が無い）こと、また、アタリ（魚の食いつき）の感度増幅等を得ることができる。
【００２４】
「他の実施形態」
以上の実態形態では、二重筒構造体１７は、浮子本体２の上部から穿設した孔５に設けられたが、他の実施形態では、浮子本体２の様々な部分から穿設した孔５に二重筒構造体１７を設けてもよい。例えは浮子本体２の下部から穿設した孔に二重筒構造体１７を設けてもよい（図６（Ｄ））。
【００２５】
以上の実態形態では、二重筒構造体１７で構成される外側筒体６と内側筒体９は、完全な円形の筒形状に形成されたが、他の実施形態では、楕円形状に形成してもよい。このようにすることで、内側筒体９を、外側筒体６に対し軸方向へスライド往復する際に、軸周りの回転を抑えることができる。
【００２６】
以上の実態形態では、内側筒体９の上部貫通孔１１は、おもり１９外径よりも若干小さく円形に形成されたが、他の実態形態では、おもり１９外径よりも若干小さく様々な形状に形成してもよい。例えば細長い楕円形状に形成してもよいし、細長い楕円形状を十字に交差させて形成してもよい。
【００２７】
以上の実態形態では、二重筒構造体１７で構成される内側筒体９は、外側筒体６に対して外側筒室入り口下縁８から突出する十分な長さを有していたが、他の実態形態では、内側筒体９の長さ自体はやや短くする代わりに上部おもり挿通孔上縁１４から上部貫通孔１１までの長さを大きくし、外側筒室入り口下縁８から大きく突出させてもよい。
【００２８】
以上の実態形態では、二重筒構造体１７は、本発明を実施するにあたっての一例を示したものに過ぎず、様々な形状や大きさの浮子等に実施することができる。浮子１に示した例は一例に過ぎず、例えば、図６（Ａ）（Ｂ）（Ｃ）に示すように、環付き浮子１０１Ａ、ななめ浮子１０１Ｄ、棒浮子１０１Ｅの浮子本体１０５から穿設した孔に二重筒構造体１７を設けることもできる。なお、環付き浮子１０１Ａとは、浮子の下端に環状金具１０２が回転可能に設けられ、この環状金具１０２の中を釣り糸１０３が通される浮子である。また、ななめ浮子１０１Ｄとは、浮子本体１０５を上下に貫通する孔１０４が設けられ、この孔１０４の中を釣り糸１０３が通され、この孔１０４に対し浮子本体１０５が水面をななめに浮遊する浮子である。また、棒浮子１０１Ｅとは、浮子本体１０５の上端に棒状の棒材１１１を有し、浮子の下端に環状金具１０２が回転可能に設けられ、この環状金具１０２の中を釣り糸１０３が通される浮子である。
また、図６（Ｄ）に示すように、ルアー１０１Ｆ等における浮力調整等にも同じく、ルアー本体１１２から穿設した孔に二重筒構造体１７を設けて本発明を実施することができる。なお、ルアー１０１Ｆとは、小魚の姿をした疑似餌で、ルアー１０１Ｆの  頭部端、腹部下端、尻尾端に環状金具１０２が回転可能に設けられ、腹部下端、及び、尻尾端には釣り針１１３が備えられ、頭部端には、この環状金具１０２の中を釣り糸１０３が通され固定される。釣り糸１０３を引くと、ルアー本体１１２が水流を受けて、左右に体を振動させながら水中を移動する。
【符号の説明】
【００２９】
１…浮子、２…浮子本体、３…筒体、４…糸挿通孔、５…孔、６…外側筒体、７…外側筒室、８…外側筒室入り口下縁、９…内側筒体、１０…内側筒室、１１…上部貫通孔、１２…下部貫通孔、１３…上部おもり挿通孔、１４…上部おもり挿通孔入り口上縁、１５…下部おもり挿通孔、１６…下部おもり挿通孔入り口下縁、１７…二重筒構造体、１８…隙間、１９…おもり、２０…化学発光体、２１…指。
【図１】
2019000062.tif 000003
【図２】
2019000062.tif 000004
【図３】
2019000062.tif 000005
【図４】
2019000062.tif 000006
【図５】
2019000062.tif 000007
【図６】
2019000062.tif 000008
【図７】
2019000062.tif 000009